(57)【要約】【課題】  カード装着部にＳＤカードを挿入したときに、カードディデクトの端子を確実に接触でき、カードディデクトの端子のばね性を保て、規格外に近いＳＤカードを挿入した際にもカードディデクトの端子を動作できて書き込み可能かどうかを確実に検知できる。【解決手段】  カード装着部２にライトプロディクト５とカードディデクト６を備え、カードディデェクトがカード装着部の奥壁部２ｂに設けられ、奥壁部の内側面の両端部近傍箇所から中央部近傍に向けて溝部２ｃ、２ｄが形成され、カードディデクトの両方の端子６ａ、６ｂが両側の溝部に配置され、一方の端子の先端部分６ｃが内側に向けて屈曲されると共に他方の端子の先端部分６ｄが内側に向けて若干屈曲され、ＳＤカードが挿入されてその先端面がカードディデクトの一方の端子の先端部分を押して一方の端子の先端部分が他方の端子の先端部分に接触することにより書き込み可能であることを検知する。【選択図】  図２
2008090588.tif 000002
【特許請求の範囲】
【請求項１】
カード装着部にＳＤカードが挿入されたか否かを検知するための端子であるライトプロディクトと書き込み禁止か書き込み可能がどうかを検知するための端子であるカードディデクトとを備え、ＳＤカードを前記カード装着部に挿入したときに、このＳＤカードの端面に突出された突部が前記ライトプロディクトの端子に当接することによってこの端子を押してＳＤカードが挿入されたことを検知し、前記突部が前記カードディデクトの端子に当接することによってこの端子を押して書き込み可能であることを検知するようにしたＳＤカードコネクタにおいて、前記カードディデェクトが前記カード装着部の奥壁部に設けられており、前記奥壁部の内側面の両端部近傍箇所から中央部近傍に向けて溝部が形成され、前記カードディデクトの両方の端子が両側の溝部に配置され、一方の端子の先端部分が内側に向けて屈曲されると共に他方の端子の先端部分が内側に向けて若干屈曲されていて、前記ＳＤカードが挿入されてその先端面が前記カードディデクトの一方の端子の先端部分を押して、この一方の端子の先端部分が前記他方の端子の先端部分に接触することによって、書き込み可能であることを検知するように構成したことを特徴とするＳＤカードコネクタ。
【請求項２】
カード装着部にＳＤカードが挿入されたか否かを検知するための端子であるライトプロディクトと書き込み禁止か書き込み可能がどうかを検知するための端子であるカードディデクトとを備え、ＳＤカードを前記カード装着部に挿入したときに、このＳＤカードの端面に突出された突部が前記ライトプロディクトの端子に当接することによってこの端子を押してＳＤカードが挿入されたことを検知し、前記突部が前記カードディデクトの端子に当接することによってこの端子を押して書き込み可能であることを検知するようにしたＳＤカードコネクタにおいて、前記奥壁部の両端部近傍箇所から中央部近傍部分に前記ガードディデクトの端子の一部が添設され、一方の端子の先端部分が内側に向けて屈曲されると共に他方の端子の先端部分が内側に向けて若干屈曲されていて、前記ＳＤカードが挿入されてその先端面が前記カードディデクトの一方の端子の先端部分を押して、この一方の端子の先端部分が前記他方の端子の先端部分に接触することによって、書き込み可能であることを検知するように構成したことを特徴とするＳＤカードコネクタ。
【請求項３】
前記カード装着部の奥壁部の外側面の両端近傍箇所から中央部近傍に向けて溝部が形成され、前記カードディデクトの両方の端子が両側の溝部に配置され、前記カードディデクトの先端部分が前記奥壁部の裏側から内側に配置されていて、一方の端子の先端部分が内側に向けて屈曲されると共に他方の端子の先端部分が内側に向けて若干屈曲されている請求項２に記載のＳＤカードコネクタ。
【発明の詳細な説明】
【技術分野】
【０００１】
本発明は、カード装着部にＳＤカードが挿入されたか否かを検知するための端子であるライトプロディクトと書き込み禁止か書き込み可能がどうかを検知するための端子であるカードディデクトとを備え、ＳＤカードを前記カード装着部に挿入したときに、このＳＤカードの端面に突出された突部が前記ライトプロディクトの端子に当接することによってこの端子を押してＳＤカードが挿入されたことを検知し、前記突部が前記カードディデクトの端子に当接することによってこの端子を押して書き込み可能であることを検知するようにしたＳＤカードコネクタに関するものである。
【背景技術】
【０００２】
従来のＳＤカードコネクタは、図４に示すように、カード装着部１０１の側壁部の中間部分に、略く字形のライトプロディクトの端子１０２が配置され、奥側部分に内向きに突出されたカードディデクトの端子１０３が配置され、ＳＤカード１０４の側端部に突起１０５が設けられ、ＳＤカード１０４をカード装着部１０１に挿入したときに、ＳＤカード１０４の突起１０５がライトプロディクトの端子１０２を押してもう一方の端子１０６に接触させることによって、ＳＤカード１０４が挿入されたことを検知し、更に、ＳＤカード１０４を奥側に入れてカードディデクトの端子１０３を突起１０５で押して、この端子１０３をもう一方の端子１０７に接触させることによって、書き込み可能であることを検知するようにしていた。
【０００３】
ところが、ＳＤカードを何回も挿入することによって、ＳＤカード１０４が劣化していき、突起１０５が削られてしまったときに、カードディデクトの端子１０３に接触せずに、書き込み可能かどうかを検知することができなくなるという問題があった。
【０００４】
第１の従来技術を図５、図６に示す。この従来のカード用コネクタ装置は、図５、図６に示すように、カード用コネクタ装置のカード装着部である第２カード装着部２０７には、装着されたカード部材である第２カード２１３の接触部２１３ｃが弾接可能な複数の端子部材２０８を配設し、この端子部材２０８は、底壁２０７ａを貫通形成した第１開口部２０７ｄ内に配設され、プリント基板（図示せず）には、端子部材である第２端子部材２０８が弾接可能な固定端子部（図示せず）を形成し、第２カード２１３を第２カード装着部２０７に装着すると、第２端子部材２０８は、第２カード２１３の接触部２１３ｃに弾接すると共にプリント基板の固定端子部に弾接して、第２カード２１３内部のＩＣに書き込み、あるいは読み出しができるようになっている。（例えば、特許文献１参照）。
【０００５】
ところが、これは、カードディデクトの端子が第２カード装着部２０７の奥壁部に配置されたものではなかった。
【０００６】
第２の従来技術を図７に示す。この従来のＩＣカードコネクタは、図７に示すように、ＩＣカードコネクタ３０１が、ＩＣカードの接点と接触する接点端子３０５ａ〜３０５ｈを有するコンタクト部３０２を備え、ＩＣカードが所定位置にあることを検出するスイッチ部３０３を必要に応じて備えるために、コンタクト部３０２と一体に設けた枠部３０７に対して、スイッチ部３０３を嵌合固定する。スイッチ部３０３が不要な場合には、スイッチ部３０３を枠部３０７に嵌合固定しない状態で、コンタクト部３０２のみのＩＣカードコネクタとして使用する。（例えば、特許文献２参照）。
【０００７】
ところが、これにおいては、カードディデクトの端子がコンタクト部３０２の奥壁部に設けられたものではなかった。
【０００８】
第３の従来技術を図８（ａ）（ｂ）に示す。固定端子４２３と可動端子４２４を備え、カード４０６の挿入により可動端子４２４を移動して固定端子４２３と可動端子４２４の間のスイッチの切り替えを行なうことによりカード４０６の挿入を検出するカード検出手段を備え、カード４０６の挿入に伴って発生する可動端子４２４の弾発力がカード４０６の排出方向に作用しないように構成されている。（例えば、特許文献３参照）。
【０００９】
ところが、これは、ＳＤカードを対称とするものではなく、ＳＤカードを使用するには構造的に無理なものであった。
【特許文献１】特開２００４−３１２７９号公報
【特許文献２】特開２００３−１０９７０９号公報
【特許文献３】特開２０００−４８９１５号公報
【発明の開示】
【発明が解決しようとする課題】
【００１０】
本発明は、上記従来の問題に鑑みてなされたものであって、カード装着部にＳＤカードを挿入したときに、カードディデクトの端子を確実に接触させることができ、しかも、カードディデクトの端子のばね性を保つことができ、更に、規格外に近いＳＤカードを挿入した際にも問題なくカードディデクトの端子を動作させることができて書き込み可能かどうかを確実に検知できるＳＤカードコネクタを提供することを目的としている。
【課題を解決するための手段】
【００１１】
本発明は、上記課題を解決するために提案されたものであって、請求項１に記載の発明は、カード装着部にＳＤカードが挿入されたか否かを検知するための端子であるライトプロディクトと書き込み禁止か書き込み可能がどうかを検知するための端子であるカードディデクトとを備え、ＳＤカードを前記カード装着部に挿入したときに、このＳＤカードの端面に突出された突部が前記ライトプロディクトの端子に当接することによってこの端子を押してＳＤカードが挿入されたことを検知し、前記突部が前記カードディデクトの端子に当接することによってこの端子を押して書き込み可能であることを検知するようにしたＳＤカードコネクタにおいて、前記カードディデェクトが前記カード装着部の奥壁部に設けられており、前記奥壁部の内側面の両端部近傍箇所から中央部近傍に向けて溝部が形成され、前記カードディデクトの両方の端子が両側の溝部に配置され、一方の端子の先端部分が内側に向けて屈曲されると共に他方の端子の先端部分が内側に向けて若干屈曲されていて、前記ＳＤカードが挿入されてその先端面が前記カードディデクトの一方の端子の先端部分を押して、この一方の端子の先端部分が前記他方の端子の先端部分に接触することによって、書き込み可能であることを検知するように構成したことを特徴としている。
【００１２】
請求項２に記載の発明は、カード装着部にＳＤカードが挿入されたか否かを検知するための端子であるライトプロディクトと書き込み禁止か書き込み可能がどうかを検知するための端子であるカードディデクトとを備え、ＳＤカードを前記カード装着部に挿入したときに、このＳＤカードの端面に突出された突部が前記ライトプロディクトの端子に当接することによってこの端子を押してＳＤカードが挿入されたことを検知し、前記突部が前記カードディデクトの端子に当接することによってこの端子を押して書き込み可能であることを検知するようにしたＳＤカードコネクタにおいて、前記奥壁部の両端部近傍箇所から中央部近傍部分に前記ガードディデクトの端子の一部が添設され、一方の端子の先端部分が内側に向けて屈曲されると共に他方の端子の先端部分が内側に向けて若干屈曲されていて、前記ＳＤカードが挿入されてその先端面が前記カードディデクトの一方の端子の先端部分を押して、この一方の端子の先端部分が前記他方の端子の先端部分に接触することによって、書き込み可能であることを検知するように構成したことを特徴としている。
【００１３】
請求項３に記載の発明は、請求項２に記載の発明において、前記カード装着部の奥壁部の外側面の両端近傍箇所から中央部近傍に向けて溝部が形成され、前記カードディデクトの両方の端子が両側の溝部に配置され、前記カードディデクトの先端部分が前記奥壁部の裏側から内側に配置されていて、一方の端子の先端部分が内側に向けて屈曲されると共に他方の端子の先端部分が内側に向けて若干屈曲されているものである。
【発明の効果】
【００１４】
請求項１に記載の発明によれば、カードディデクトがカード装着部の奥壁部に設けられているから、カード装着部にＳＤカードを挿入したときに、このＳＤカードの先端をカードディデクトの一方の端子に接触させてこの端子が押されて他方の端子に確実に接触させることができて、書き込み可能であることを正確に検知することができる。また、カード装着部の奥壁部の内壁面の両端部近傍箇所から中央部近傍に形成された溝部にカードディデクトの両方の端子が配置され、一方の端子の先端部分が内側に向けて屈曲されると共に他方の端子の先端部分が内側に向けて屈曲されているから、両側の端子の屈曲部分を短くできてカードディデクトの端子のばね性を保つことができ、しかもカードディデクトの両方の端子の先端部分までの部分が溝部内に配置されていて外れることを防ぐことができる。更に、規格外に近いＳＤカードを挿入しても、この規格外に近いＳＤカードの先端をカードディデクトの端子に接触させて押すことができるから、カードディデクトの端子を確実に動作させることができて書き込み可能がどうかを確実に検知することができる。
【００１５】
請求項２に記載の発明によれば、カードディデクトがカード装着部の奥壁部に設けられているから、カード装着部にＳＤカードを挿入したときに、このＳＤカードの先端をカードディデクトの一方の端子に接触させてこの端子が押されて他方の端子に確実に接触させることができて、書き込み可能であることを正確に検知することができる。また、カード装着部の両端部近傍箇所から中央部近傍にカードディデクトの端子の一部が添設され、一方の端子の先端部分が内側に向けて屈曲されると共に他方の端子の先端部分が内側に向けて若干屈曲されているから、両側の端子の屈曲部分を短くできてカードディデクトの端子のばね性を保つことができる。更に、規格外に近いＳＤカードを挿入しても、この規格外に近いＳＤカードの先端をカードディデクトの端子に接触させて押すことができるから、カードディデクトの端子を確実に動作させることができて書き込み可能がどうかを確実に検知することができる。
【００１６】
請求項３に記載の発明によれば、カード装着部の奥壁部の外壁面の両端近傍箇所から中央部近傍に向けて設けられた溝部に、カードディデクトの両方の端子が配置されているから、カードディデクトが外れることを防止することができる。また、カードディデクトの先端部分が奥壁部の裏側から内側に配置されていて、一方の端子の先端部分が内側に向けて屈曲されると共に他方の端子の先端部分が内側に向けて若干屈曲されているから、両側の端子の屈曲部分を短くできて端子のばね性を保つことができる。更に、奥壁部の溝部が外側面に形成されているから、溝部を形成し易い利点がある。
【発明を実施するための最良の形態】
【００１７】
以下、本発明に係るＳＤカードコネクタの実施の形態について、図を参照しつつ説明する。
【００１８】
図１は本発明の実施形態のＳＤカードコネクタにＳＤカードを挿入する直前の状態を示す斜視図、図２はＳＤカードコネクタのカード装着部を示す斜視図である。
【００１９】
図１に示すように、本実施形態のＳＤカードコネクタは、ハウジング１の上面にカード装着部２が配置され、カバー３で覆われている。カード装着部２には側端に突起４ａが設けられたＳＤカード４が挿入されるようになっている。カード装着部２には、図２に示すように、側壁部２ａにＳＤカード４が挿入された否かを検知するためのライトプロディクト５の略く字形の一方の端子５ａが内側に向けて突設されていると共に一方の端子５ａが接触する他方の端子５ｂが設けられている。また、カード装着部２の奥壁部２ｂには、書き込み可能かどうかを検知するためのカードディデクト６が配置されている。即ち、奥壁部２ｂの内側面の両端近傍箇所から中央部近傍に向けて溝部２ｃ、２ｄが形成されており、カードディデクト６の両方の端子６ａ、６ｂの途中部分が溝部２ｃ、２ｄに配置され、一方の端子６ａの先端部分６ｃが内側に向けて屈曲されると共に他方の端子６ｂの先端部分６ｄが内側に向けて若干屈曲されている。更に、両方の端子６ａ、６ｂの基端部６ｅ、６ｆが奥壁部２ｂの端部近傍箇所の外側に向けて突出されている。カードディデクト６の両方の端子６ａ、６ｂの基端部６ｅ、６ｆが奥壁部２ｄの端部近傍箇所に位置されているのは、カード装着部２の底面２ｅの奥側に複数の他の端子７が配列され、その基端部（図示略）が奥壁部２ｂの外側に向けて突出されているからである。
【００２０】
ＳＤカード４が挿入されると、突起４ａがライトプロディクト５の一方の略く字形の端子５ａを押してこの一方の端子５ａが他方の端子５ｄに接触してＳＤカード４が挿入されたことを検知する。ＳＤカード４を更に奥側に向けて挿入すると、ＳＤカード４の先端面がカードディデクト６の一方の端子６ａの先端部分６ｃを押してこの一方の端子６ａの先端部分６ｃが他方の端子６ｂの先端部分６ｄに接触して書き込み可能であることを検知する。
【００２１】
従って、本実施形態によれば、カードディデクト６がカード装着部２の奥壁部２ｂに設けられているから、カード装着部２にＳＤカード４を挿入したときに、このＳＤカード４の先端をカードディデクト６の一方の端子６ａに接触させてこの端子６ａが押されて他方の端子６ｂに確実に接触させることができて、書き込み可能であることを正確に検知することができる。また、カード装着部２の奥壁部２ｂの内壁面の両端部近傍箇所から中央部近傍に形成された溝部２ｃ、２ｄにカードディデクト６の両方の端子６ａ、６ｂが配置され、一方の端子６ａの先端部分６ｃが内側に向けて屈曲されると共に他方の端子６ｂの先端部分６ｄが内側に向けて屈曲されているから、両側の端子６ａ、６ｂの屈曲部分を短くできてカードディデクト６の端子６ａ、６ｂのばね性を保つことができ、しかもカードディデクト６の両方の端子６ａ、６ｂの先端部分６ｃ、６ｄまでの部分が溝部２ｃ、２ｄ内に配置されていて外れることを防ぐことができる。更に、規格外に近いＳＤカードを挿入しても、この規格外に近いＳＤカードの先端をカードディデクト６の一方の端子６ａの先端部分６ｃに接触させて押して他方の端子６ｂの先端部分６ｄに接触することができるから、カードディデクト６の端子２ａ、２ｂを確実に動作させることができて書き込み可能がどうかを確実に検知することができる。
【００２２】
図３は別例のＳＤカードコネクタのカード装着部の要部を示す部分斜視図である。
【００２３】
この別例のＳＤカードコネクタのカード装着部２は、奥壁部２ｂの外側面の両端近傍箇所から中央部近傍に向けて溝部２ｆ、２ｇが形成され、カードディデクト６の両方の端子６ａ、６ｂの中途部分が奥壁部２ｂの溝部２ｆ、２ｇに配置されている。更に、カードディデクト６の先端部分６ｃ、６ｄが奥壁部２ｂの裏側から内側に配置され、一方の端子６ａの先端部分６ｃが内側に向けて屈曲されていると共に他方の端子６ｂの先端部分６ｄが内側に向けて若干屈曲されている。
【００２４】
従って、この別例のＳＤカードコネクタのディデクトカード装着部２によれば、カード装着部２の奥壁部２ｂの外壁面の両端近傍箇所から中央部近傍に向けて設けられた溝部２ｆ、２ｇに、カードディデクト６の両方の端子６ａ、６ｂの中途部分が配置されているから、カードディデクト６が外れることを防止することができる。また、カードディデクト６の先端部分６ｃ、６ｄが奥壁部２ｂの裏側から内側に配置されていて、一方の端子６ａの先端部分６ｃが内側に向けて屈曲されると共に他方の端子６ｂの先端部分６ｄが内側に向けて若干屈曲されているから、両側の端子６ａ、６ｂの屈曲部分を短くできて端子のばね性を保つことができる。更に、奥壁部２ｂの溝部２ｆ、２ｇが外側面に形成されているから、溝部２ｆ、２ｇを形成し易い利点がある。
【図面の簡単な説明】
【００２５】
【図１】本発明の実施形態のＳＤカードコネクタにＳＤカードを挿入する直前の状態を示す斜視図である。
【図２】ＳＤカードコネクタのカード装着部を示す斜視図である。
【図３】別例のＳＤカードコネクタのカード装着部の要部を示す部分斜視図である。
【図４】従来のＳＤカードコネクタのカード装着部にＳＤカードを挿入した状態を示す平面図である。
【図５】従来のカード用コネクタ装置のカバーを取り外した状態の斜視図である。
【図６】同装置のカード部材である第２カードを示し、（ａ）はその正面図、（ｂ）はその正面図である。
【図７】従来のＩＣカードコネクタにスイッチ部を組み込んだ平面図である。
【図８】従来のカード用コネクタにおけるノーマルクローズ検出スイッチのＩＣカード挿入状態を示し、（ａ）はその挿入途中の部分側面図、（ｂ）はそのその挿入完了時の部分側面図である。
【符号の説明】
【００２６】
１      ハウジング
２      カード装着部
２ａ    側壁部
２ｂ    奥壁部
２ｃ    溝部
２ｄ    溝部
２ｅ    底面
２ｆ    溝部
２ｇ    溝部
３      カバー
４      ＳＤカード
４ａ    突起
５      ライトプロディクト
５ａ    一方の端子
５ｂ    他方の端子
６      カードディデクト
６ａ    端子
６ｂ    端子
６ｃ    先端部分
６ｄ    先端部分
６ｅ    基端部
６ｆ    基端部
７      他の端子
【図１】
2008090588.tif 000003
【図２】
2008090588.tif 000004
【図３】
2008090588.tif 000005
【図４】
2008090588.tif 000006
【図５】
2008090588.tif 000007
【図６】
2008090588.tif 000008
【図７】
2008090588.tif 000009
【図８】
2008090588.tif 000010